【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
画像データを生成する画像データ生成手段と、
前記画像データ用のＩＤ情報と、前記画像データの所在を管理する管理装置にアクセスするためのアクセス情報とを、前記画像データに付加する付加手段と、
前記画像データを他の装置にコピー又は移動した場合は、前記アクセス情報を用いて前記管理装置にアクセスし、前記ＩＤ情報と、コピー先又は移動先の所在を示す所在情報とを前記管理装置に通知するように制御する制御手段とを有することを特徴とする画像データ生成装置。
【請求項２】
前記制御手段は、前記画像データを記録媒体から削除した場合は、前記アクセス情報を用いて前記管理装置にアクセスし、前記画像データの所在を示す所在情報を無効に又は前記管理装置から削除するために、前記ＩＤ情報を前記管理装置に通知するように制御することを特徴とする請求項１に記載の画像データ生成装置。
【請求項３】
画像データを生成する画像データ生成手段と、
前記画像データ用のＩＤ情報と、前記画像データの所在を管理する管理装置にアクセスするためのアクセス情報とを、前記画像データに付加する付加手段と、
前記画像データを記録媒体から削除した場合は、前記アクセス情報を用いて前記管理装置にアクセスし、前記画像データの所在を示す所在情報を無効に又は前記管理装置から削除するために、前記ＩＤ情報を前記管理装置に通知するように制御する制御手段とを有することを特徴とする画像データ生成装置。
【請求項４】
前記記録媒体は、着脱可能な記録媒体であることを特徴とする請求項２又は３に記載の画像データ生成装置。
【請求項５】
画像データ用のＩＤ情報と、前記画像データの所在を管理する管理装置にアクセスするためのアクセス情報とが付加された前記画像データをコピー又は移動により他の装置から取得する取得手段と、
前記画像データをコピー又は移動により前記他の装置から取得した場合、前記アクセス情報を用いて前記管理装置にアクセスし、前記ＩＤ情報と、コピー先又は移動先の所在を示す所在情報とを前記管理装置に通知するように制御する制御手段とを有することを特徴とする画像データ生成装置。
【請求項６】
前記画像データ生成装置は、デジタルカメラであることを特徴とする請求項１から５のいずれかに記載の画像データ生成装置。
【請求項７】
画像データ生成装置で生成された画像データの所在を管理する管理装置であって、
前記画像データを前記画像データ生成装置から取得する取得手段と、
前記画像データを取得した後、前記画像データ用のＩＤ情報と、前記管理装置にアクセスするためのアクセス情報とを、前記画像データに付加する付加手段と、
前記ＩＤ情報と、前記画像データの所在を示す所在情報とを用いて前記画像データの所在を管理する管理手段とを有することを特徴とする管理装置。
【手続補正２】
【補正対象書類名】明細書
【補正対象項目名】発明の名称
【補正方法】変更
【補正の内容】
【発明の名称】画像データ生成装置及び管理装置
【手続補正３】
【補正対象書類名】明細書
【補正対象項目名】０００１
【補正方法】変更
【補正の内容】
【０００１】
本発明は、デジタルカメラ等の画像データ生成装置、及び当該画像データ生成装置で生成された画像データの所在を管理する管理装置に関する。
【手続補正４】
【補正対象書類名】明細書
【補正対象項目名】０００７
【補正方法】変更
【補正の内容】
【０００７】
本発明は上記従来の問題点に鑑み、デジタルカメラ等の画像データ生成装置で生成された画像データの所在を管理できるようにすることを目的とする。
【手続補正５】
【補正対象書類名】明細書
【補正対象項目名】０００８
【補正方法】変更
【補正の内容】
【０００８】
本発明に係る画像データ生成装置の一つは、例えば、画像データを生成する画像データ生成手段と、前記画像データ用のＩＤ情報と、前記画像データの所在を管理する管理装置にアクセスするためのアクセス情報とを、前記画像データに付加する付加手段と、前記画像データを他の装置にコピー又は移動した場合は、前記アクセス情報を用いて前記管理装置にアクセスし、前記ＩＤ情報と、コピー先又は移動先の所在を示す所在情報とを前記管理装置に通知するように制御する制御手段とを有することを特徴とする。
【手続補正６】
【補正対象書類名】明細書
【補正対象項目名】０００９
【補正方法】変更
【補正の内容】
【０００９】
本発明に係る画像データ生成装置の一つは、例えば、画像データを生成する画像データ生成手段と、前記画像データ用のＩＤ情報と、前記画像データの所在を管理する管理装置にアクセスするためのアクセス情報とを、前記画像データに付加する付加手段と、前記画像データを記録媒体から削除した場合は、前記アクセス情報を用いて前記管理装置にアクセスし、前記画像データの所在を示す所在情報を無効に又は前記管理装置から削除するために、前記ＩＤ情報を前記管理装置に通知するように制御する制御手段とを有することを特徴とする。
【手続補正７】
【補正対象書類名】明細書
【補正対象項目名】００１０
【補正方法】変更
【補正の内容】
【００１０】
本発明に係る画像データ生成装置の一つは、例えば、画像データ用のＩＤ情報と、前記画像データの所在を管理する管理装置にアクセスするためのアクセス情報とが付加された前記画像データをコピー又は移動により他の装置から取得する取得手段と、前記画像データをコピー又は移動により前記他の装置から取得した場合、前記アクセス情報を用いて前記管理装置にアクセスし、前記ＩＤ情報と、コピー先又は移動先の所在を示す所在情報とを前記管理装置に通知するように制御する制御手段とを有することを特徴とする。
【手続補正８】
【補正対象書類名】明細書
【補正対象項目名】００１１
【補正方法】変更
【補正の内容】
【００１１】
本発明に係る管理装置は、例えば、画像データ生成装置で生成された画像データの所在を管理する管理装置であって、前記画像データを前記画像データ生成装置から取得する取得手段と、前記画像データを取得した後、前記画像データ用のＩＤ情報と、前記管理装置にアクセスするためのアクセス情報とを、前記画像データに付加する付加手段と、前記ＩＤ情報と、前記画像データの所在を示す所在情報とを用いて前記画像データの所在を管理する管理手段とを有することを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明によれば、デジタルカメラ等の画像データ生成装置で生成された画像データの所在を管理することができる。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】変更
【補正の内容】
【００１９】
本発明の実施の形態について、図面を参照しながら説明する。本実施形態のデータ生成装置は、デジタルカメラに適用される。